(57)【要約】【課題】骨伝導受話器の振動伝達部を外耳道内に挿入し、骨伝導聴感を効率よく獲得し、合わせて骨伝導受話器振動伝達部の、装用状態の保持とその維持を容易にする。【解決手段】図３において本発明は骨伝導受話器の振動伝達部２２を、外耳道２３に挿入してこの内壁２５に圧接する装用となるので、この振動伝達部２２は、中耳部３６や内耳部３９などの聴覚器官の近傍に装用される。従ってこの振動伝達部２２から前記聴覚器官に伝達される振動の減衰は軽微となり、骨伝導による聴覚器官での良好な聴感の誘発を図った。又、前記振動伝達部２２は、略円筒形状の外耳道２３の内壁２５の両端面に振幅振動を伝達し、さらにこの振動伝達部の形状を外耳道２３に最適な装用ができる形状にして、この振動伝達部２２の外耳道２３内で、良好な装用状態の保持とその維持を図った。【選択図】          図１
2004166174.tif 000002
【特許請求の範囲】
【請求項１】
外耳道内奥に骨伝導受話器の振動伝達部を挿入し、この振動伝達部が外耳道内奥の内壁に圧接され、使用に供されることを特長とする、外耳道内挿入型骨伝導受話器。
【請求項２】
電気振動変換器のアマチュアー先端に直接、振動伝達部を取り付け、この振動伝達部を外耳道内に挿入し、この外耳道内内壁の両端面に、前記振動伝達部を圧接する装用で、使用に供されることを特長とする、請求項１に記載の外耳道内挿入型骨伝導受話器。
【請求項３】
円弧形などの両辺を持つ扁平形状の振動伝達部を、電気振動変換器のアマチュアー先端に取り付け、この振動伝達部の外側に装用幅調整アダプターが取り付けられることを特長とする、請求項２に記載の外耳道内挿入型骨伝導受話器。
【請求項４】
振動伝達部が保持用圧接調整機構となることを、特長とする請求項３に記載の外耳道内挿入型骨伝導受話器。
【請求項５】
電気振動変換器の筐体と振動伝達部の間隙に、防塵リングを施工したことを特長とする、請求項４に記載の外耳道内挿入型骨伝導受話器。
【請求項６】
電気振動変換器の筐体に突部を施工し、この突部を使用して外装ケースなどに組み込まれることを特長とする、請求項５に記載の外耳道内挿入型骨伝導受話器。
【請求項７】
外耳道内挿入型骨伝導受話器を組み込み、外耳道内内壁に振動伝達部が接する装用で、使用に供されることを特長とする、外耳道内挿入型骨伝導補聴器。
【請求項８】
外耳道内挿入型骨伝導受話器と、マイクロホンを含む増幅部などとを、伝達振動抑制部を介し結合して、使用に供されることを特長とする、請求項７に記載の外耳道内挿入型骨伝導補聴器。
【発明の詳細な説明】
【０００１】
【発明の属する技術分野】
本発明は伝音難聴者などが、骨伝導聴感を効率良く獲得するために、振動伝達部を外耳道内に挿入し、この外耳道内内壁の両端面に振動伝達部を圧接する装用をして、骨伝導聴感を効率良く獲得する方法の、外耳道内挿入型骨伝導受話器に関するものである。
【０００２】
【従来の技術】
従来の骨伝導受話器においては、骨伝導受話器による骨伝導聴感を獲得するために、側頭部又は耳近傍などの部位に、骨伝導受話器を耳介を利用して保持したり（例えば、特許文献１と特許文献３参照）、外耳道の開口端に装用したり（例えば、特許文献１と特許文献２参照）、あるいは骨伝導受話器の保持を兼ね、眼鏡のつるや、ヘッドバンドの如き弾性機構のある構造部を付加し（例えば、特許文献１と特許文献２と特許文献３参照）、骨伝導受話器に押圧を加え、この受話器振動部の振動を得て目的を達していた。
【０００３】
【特許文献１】
実開昭６３−１１７１９０
【特許文献２】
特開２０００−１６６９５９
【特許文献３】
特開２００１−３２０７９０
【０００４】
【発明が解決しようとする課題】
従来に於いては、骨伝導受話器の振動部を側頭部などに装用して、骨伝導による聴感を得ていたが、頭部内の聴覚器官から離れた、頭部外側に前記振動部が装用されるので、骨伝導聴感を獲得し難いと言う問題があった。
【０００５】
又、ヘッドバンドなどの方法による、従来の骨伝導受話器の装用押圧付加機構では、使用中に前記装用部位から前記骨伝導受話器振動部のずれなどが発生し、この受話器振動部が装用される前記側頭部などの装用部位に対し、しばしば前記受話器振動部の装用押圧と、装用部位に対して修正が必要になるという問題があった。
【０００６】
本発明は、効率の良い骨伝導聴感の獲得を目的として、骨伝導受話器を外耳道内に挿入し、聴覚器官の近傍にこの骨伝導受話器の振動伝達部を装用する。さらに前記骨伝導受話器は、外耳道内内壁の両端面に前記振動伝達部を圧接する装用をし、外耳道内内壁に対し効率の良い振動の伝達を図り、又、振動伝達部の装用状態の保持とその維持を図ることなどにより、問題を解決することを目的としている。
【０００７】
【課題を解決するための手段】
上記目的を解決するために、本発明の外耳道内挿入型骨伝導受話器は、外耳道内への挿入の利便を図るため、外装ケースに組み込み使用に供する。
【０００８】
電気振動変換器のアマチュアー先端に、直接振動伝達部を取り付けることが効果的であり、この振動伝達部はプラスチックなどの硬質部材を使用した。
【０００９】
上記振動伝達部の内側は、前記電気振動変換器筐体の一部と間隙を持ち重なり合う構造にし、前記振動伝達部の外側には、プラスチックなどの硬質部材を使用した装用幅調整アダプターを施工できる構造にした。
【００１０】
上記振動伝達部の内側と前記電気振動変換器筐体の間隙部に、防塵リングを施工することが効果的である。
【００１１】
本発明の電気振動変換器の筐体に突部を施工した。この突部は外装ケースなどに、前記電気振動変換器などの組み込み時に使用する目的の施工物である。
【００１２】
【発明の実施の形態】
本発明実施の形態は、電気振動変換器の筐体を概略長方体として、この筐体内部に、電磁型或いは圧電素子などで構成する、電気振動変換器を接着剤などで固定し、この変換器のアマチュアーを前記筐体の短辺面側の外部に突出させる。この外部に突出したアマチュアーの先端に、振動伝達部を接着剤などで固定する。この振動伝達部には装用幅調整アダプターを接着剤などで接合できる。そして筐体には突部が施工される。使用に供する時は、この突部を使用して外装ケースなどに組み込まれる。
【００１３】
【実施例】
発明の実施の形態を実施例にもとづき図面を参照して説明する。
図１において、硬質部材を使用した筐体１に、電磁型あるいは圧電素子などによる、電気振動変換器２を接着剤などで固定する。この電気振動変換器２に施工されている鉄などを主成分としたアマチュアー３は、前記筐体１の短辺面側から突出し、この突出したアマチュアー３の先端に、硬質部材の振動伝達部４を接着剤などで固定する。軟質ゴムなどの防塵リング５は、筐体１と振動伝達部４の間隙部に施工をする。電気振動変換器２への入力端子６は、前記筐体１の振動伝達部４が施工されている反対側の短辺面に、接着剤などで固定されて、外耳道内挿入型骨伝導受話器となっている。
【００１４】
図２は使用に供する時の一実施例で、筐体１に施工されている突部を使用し、本外耳道内挿入型骨伝導受話器が、外装ケースに組み込まれたものである。この実施例では電気振動変換器の電磁型による、一実施例を示したものである。プラグ本体１１の内部で、外部入力用コード１３とプラグ１２が結線されている。外装ケース９に施工されているジャック孔１０から、プラグ１２を挿入すれば、接触バネ接点７に接触し導通状態が維持される。接触バネ接点７と接続されている入力端子６はスルーホール加工などで、出力増幅器１７に半田ボンディングなどで接続されている。コイル１６とコイル１６ａは中空構造の巻き線で、巻き始めと巻き終わりの電線を介して、出力増幅器１７に接続されている。磁石１５と磁石１５ａは永久磁石で、アマチュアー３の振幅方向両端に間隙を持って配され、ヨーク１４とヨーク１４ａに、それぞれスポット溶接などで固定している。前記アマチュアー３はヨの字形状の中間に施工された可動片で、ヨの字形状の両端にあたる固定端は、ヨーク１４とヨーク１４ａにそれぞれスポット溶接などで固定される。前記アマチュアー３は振動が励起される可動片で、図２の上下に振幅振動をする。
【００１５】
図２における電気振動変換の概略は、外部入力コード１３に印可された電気信号が、プラグ１２を介して接触バネ接点７に伝えられ、入力端子６を経て出力増幅器１７に入力される。この出力増幅器１７で増幅された電気信号は、コイル１６とコイル１６ａに入力され、入力された電気信号の変化に追従してアマチュアー３が励磁される。この励磁の状態を反映して、アマチュアー３は磁石１４と磁石１４ａの間で振幅振動が励起される。このアマチュアー３の先端に固定されている振動伝達部４は、この振幅振動に同期する振幅振動をすることで、前記電気振動変換が行われることになる。
【００１６】
図３は外装ケース９に組み込まれた本発明の骨伝導受話器２１が、外耳道２３内に装用された時の略図である。外耳道開口端２４から挿入された、前記骨伝導受話器２１の振動伝達部２２は、略円筒形状の外耳道２３の内壁２５に圧接して装用される。即ち略円筒形状の外耳道２３内壁２５の両端面に、振動伝達部２２が圧接する装用状態に保たれることになる。
【００１７】
図４は本骨伝導受話器２１の振動伝達部２２を、外耳道２３の内壁２５に圧接する装用がされた部位を拡大した概略図である。振動伝達部２２は、略円筒形状の外耳道２３内壁２５の皮膚３４に接する。外耳道２３内の皮膚３４の周囲に骨２８があり、前記振動伝達部２２の振幅振動は、前記皮膚３４を介して前記骨２８に伝達される。この伝達された振幅振動を前記骨２８が、骨伝導作用で図３で図示した中耳部３６内耳部３９などの聴覚器官に、骨伝導振動として伝達することになる。
【００１８】
図５は装用幅調整アダプター関連の図である。本骨伝導受話器振動伝達部４３に、装用幅調整アダプター４０が接合される。ここで図３及び図４の外耳道２３の略円筒形状の大きさなどが相違する場合に対しては、オプションとして用意される前記装用幅アダプター４０と略近似形状で、大きさの違う装用幅調整アダプター大４１、装用幅調整アダプター小４２などで対応する。
【００１９】
又、図３及び図４の外耳道２３は各人毎に固有の形状を有しており、前記オプションで用意された図５のアダプター４０などで対応不能の場合があるので、軟質プラスチックなどを使用し前記外耳道２３の形状を採形し、プラスチックなどの硬質部材で別途装用幅調整アダプターを作成し、図５の振動伝達部４３に接合することも可能である。
【００２０】
図６は本発明の外耳道内挿入型骨伝導受話器を使用した、骨伝導補聴器の概略図である。骨伝導受話器部４６は、外耳道内挿入型骨伝導受話器が組み込まれ、衝撃吸収効果のある軟質ゴムなどを使用した伝達振動抑制部４４を介して、マイクロホン４７などが組み込まれた補聴器の外装ケースと結合される。
【００２１】
【発明の効果】
本発明は以上説明したように構成されているので、以下に記載されるような効果を奏する。
【００２２】
本発明の外耳道内挿入型骨伝導受話器は、外耳道内に挿入し使用するので、図３の中耳部３６の耳小骨３７や内耳部３９の蝸牛３０などの聴覚器官の近傍に、前記受話器の振動伝達部が装用されるので、伝達される振動の減衰は軽微であり、骨伝導による聴覚器官の聴感誘発を得やすい。一般的に媒質中の減衰は２０ｌｏｇｒ１／ｒ２で与えられ、距離が２倍、１０倍になると単純にはそれぞれ−６ｄＢ、−２０ｄＢの減衰となるので、前記振動伝達部が前記聴覚器官近傍に装用される点は、優位性を有することになる。
【００２３】
本発明の骨伝導受話器の振動伝達部は、アマチュアの先端に結合されるので、このアマチュアーの最大振幅を前記振動伝達部が振幅振動として、略円筒形状の外耳道内壁に圧接する両端面に伝達することになる。これは前記振動伝達部が片端面に接した状態と単純に比較して、振動伝達部位が２倍となるので、一般的に振動圧力の増加比は、２０ｌｏｇ２／１で表され、この場合は６ｄＢの振動伝達増加比となるので、前記振動伝達部による効率的な振動伝達動作となる。
【００２４】
図３において本発明の外耳道内挿入型骨伝導受話器を外耳道内に挿入すれば、外装ケースに組み込まれた骨伝導受話器２１は、外耳道開口端２４で保持されると共に、この受話器の振動伝達部２２は、前記外耳道内内壁２５の両端面に圧接する装用となり、特別な押圧付加機構を必要としない容易な装用とその維持が図れ、安定した骨伝導聴感を獲得出来るので、伝音難聴者などに対して利便を提供できる。
【００２５】
本発明の骨伝導受話器の振動伝達部に、略円筒形状の外耳道の断面形状に近似の、図５に於ける装用幅調整アダプターを、オプションとして選択し接合することが可能である。又、特別な外耳道形状に近似の装用幅調整アダプターを作成し、前記振動伝達部に接合することも可能であるので、これらの装用幅調整アダプターを使用して、各固有の前記外耳道内壁へ最適な装用が可能となり、各人各様の外耳道条件に対し、前記振動伝達部の良好な装用の保持と、その維持を提供できる。
【００２６】
図１において本骨伝導受話器に防塵リング５が施工されるが、電気振動変換器２への防塵の働きと、耳垢などの介在物の進入を阻む働きをする。又、前記振動伝達部４と前記電気振動変換器筐体１とが重なり合う構造なので、前記防塵リング５との相乗効果により、前記振動伝達部４の過大振動の抑制と、この振動伝達部４への過大負荷が要因となる、アマチュアー３の変形や損傷を防止できる。
【００２７】
本発明の電気振動変換器の筐体内に出力増幅器を施工できる。図２におけるこの出力増幅器１７の施工によれば、外部増幅回路の簡略化が図れるなどの効果がある。
【図面の簡単な説明】
【図１】本骨伝導受話器の、一実施例を示す側面からの断面図である。
【図２】本骨伝導受話器電気振動変換器の、電磁型の一実施例を示す概略側断面図である。
【図３】外装ケースに組み込んだ本骨伝導受話器の、外耳道内での装用状態を示す一例で、その時の概略断面図である。
【図４】本骨伝導受話器振動伝達部の、外耳道内装用状態を拡大した概略図である。
【図５】本骨伝導受話器振動部に取り付ける装用幅調整アダプターのオプション関連の図である。
【図６】本骨伝導受話器を使用した外耳道内挿入型骨伝導補聴器の概略実施図である。
【符号の説明】
１  筐体
２  電気振動変換器
３  アマチュアー
４、２２、４３  振動伝達部
５  防塵リング
６  入力端子
７  接触バネ接点
８  突部
９  外装ケース
１０  ジャック孔
１１  プラグ本体
１２  プラグ
１３  外部入力コード
１４、１４ａ  ヨーク
１５、１５ａ  磁石
１６、１６ａ  コイル
１７  出力増幅器
２１  外装ケースに組み込まれた骨伝導受話器
２３  外耳道
２４  外耳道開口端
２５  内壁
２６  耳介
２７  頭部
２８  骨
２９  半規管
３０  蝸牛
３１  蝸牛神経
３２  前庭神経
３３  外耳部
３４  皮膚
３５  鼓膜
３６  中耳部
３７  耳小骨
３８  耳管
３９  内耳部
４０  装用幅調整アダプター
４１  装用幅調整アダプター大
４２  装用幅調整アダプター小
４４  伝達振動抑制部
４５  補聴器の外装ケース
４６  骨伝導受話器部
４７  マイクロホン
４８  増幅器
４９  電池
５０  ボリューム
【図１】
2004166174.tif 000003
【図２】
2004166174.tif 000004
【図３】
2004166174.tif 000005
【図４】
2004166174.tif 000006
【図５】
2004166174.tif 000007
【図６】
2004166174.tif 000008